(57)【要約】【課題】光ファイバの被覆の個別差による漏れ損失のばらつきに影響されることなく、一方向に通光する光信号の強度と他方向に通光する光信号の強度との比を高精度に算出できる光心線判別装置及び判別方法を提供する。【解決手段】屈曲固定部１１０は、点Ｔと点Ｔ’との範囲が一定の曲率の円弧の形状に形成されており、対称軸Ｓに対して左右対称となっている。点Ｔ、Ｔ’は、検出器１２１の受光面の中心に対向する屈曲固定部１１０の位置と検出器１２２の受光面の中心に対向する位置との間の範囲を少なくとも含むよう設定している。この円弧に沿って光ファイバ心線１０を屈曲させることで、光ファイバ心線１０の漏れ損失も対称軸Ｓに対して左右対称になるようにしている。また、検出器１２１及び１２２も対称軸Ｓに対して左右対称となる位置に配置している。 【選択図】図１
2008164762.tif 000002
【特許請求の範囲】
【請求項１】
光ファイバ心線の所定範囲を一定の曲率の円弧の形状に屈曲させて固定する屈曲固定部と、
前記屈曲固定部の対称軸上の位置でかつ受光面が前記対称軸と垂直となるよう前記光ファイバ心線に近接して配置された第１の検出器と、
配置位置及び受光面が前記所定範囲内で前記対称軸に対し相互に対称となるよう前記光ファイバ心線に近接させて配置された第２の検出器及び第３の検出器と、
前記第１から第３までの検出器による測定値を入力して前記光ファイバ心線を一方向に通光する光信号の強度と他方向に通光する光信号の強度との比を算出する演算処理部と、を備える
ことを特徴とする光心線判別装置。
【請求項２】
前記第１の検出器の前記受光面の中心は、前記屈曲固定部の対称軸上にあり、
前記第２の検出器及び前記第３の検出器のそれぞれの前記受光面の中心は、前記円弧の法線上にある
ことを特徴とする請求項１に記載の光心線判別装置。
【請求項３】
前記第２の検出器と前記第３の検出器とは、それぞれの前記受光面が前記円弧の法線に対し垂直となるよう配置されている
ことを特徴とする請求項１又は請求項２に記載の光心線判別装置。
【請求項４】
前記所定範囲より外側の前記光ファイバ心線は前記円弧とは異なる曲率で屈曲され、
前記第２の検出器及び前記第３の検出器が前記異なる曲率で屈曲された前記光ファイバ心線からの漏洩光も受光するよう前記所定範囲が決定されている
ことを特徴とする請求項１から請求項３のいずれか１項に記載の光心線判別装置。
【請求項５】
光ファイバ心線の所定範囲を一定の曲率の円弧の形状に屈曲させ、
前記円弧の対称軸上の位置でかつ受光面が前記対称軸と垂直となるよう前記光ファイバ心線に近接して測定することにより第１の測定値を取得し、
測定位置及び受光面が前記所定範囲内で前記対称軸に対し相互に対称となる異なる２箇所で前記光ファイバ心線に近接させて測定することにより第２及び第３の測定値を取得し、
前記第１から第３までの測定値をもとに前記光ファイバ心線を一方向に通光する光信号の強度と他方向に通光する光信号の強度との比を算出する
ことを特徴とする光心線判別方法。
【請求項６】
前記第１の測定値は、前記屈曲固定部の対称軸を中心に測定されたものであり、
前記第２の測定値及び前記第３の測定値は、前記円弧の法線を中心に測定されたものである
ことを特徴とする請求項５に記載の光心線判別方法。
【請求項７】
前記第２の測定値と前記第３の測定値とは、それぞれ前記受光面が前記円弧の法線と垂直となるように測定される
ことを特徴とする請求項４に記載の光心線判別方法。
【請求項８】
前記所定範囲より外側の前記光ファイバ心線は前記円弧とは異なる曲率で屈曲され、
前記第２の測定値及び前記第３の測定値は、前記異なる曲率で屈曲された前記光ファイバ心線からの漏洩光も測定している
ことを特徴とする請求項５から請求項７のいずれか１項に記載の光心線判別方法。
【発明の詳細な説明】
【技術分野】
【０００１】
本発明は、光伝送線路の心線対照、活線判定等を行うのに用いられる光心線判別装置及び光心線判別方法に関する。
【背景技術】
【０００２】
光ファイバを用いた通信システムとして、図６に示すようなＰＯＮ（Ｐａｓｓｉｖｅ  Ｏｐｔｉｃａｌ  Ｎｅｔｗｏｒｋ）通信が知られている。ＰＯＮ通信システム９００では、ＯＬＴ（Ｏｐｔｉｃａｌ  Ｌｉｎｅ  Ｔｅｒｍｉｎａｌ）９０１からの下りの光信号９１０がスプリッタ９０２で分岐され、複数のユーザ側ＯＮＵ（Ｏｐｔｉｃａｌ  Ｎｅｔｗｏｒｋ  Ｕｎｉｔ）９０３に送信される。各ＯＮＵ９０３（ＯＮＵ１〜ＯＮＵ４）では、自分宛にきた光信号のみを選択して取得する。この下りの光信号９１０には、各ＯＮＵ９０３から送出する上りの光信号９１１の送出タイミングを制御する信号も含まれている。
【０００３】
各ＯＮＵ９０３から送出された各光信号９１１は、スプリッタ９０２で結合されＯＬＴ９０１が指定したタイミングの信号列９１２でＯＬＴ９０１に入力される。ＯＬＴ９０１では、上りの光信号９１２の信号列ＴがＯＮＵ９０３毎の光信号に分けられる。
【０００４】
上記構成のＰＤＳ（ＰＯＮ）通信システム９００において、例えば１台のＯＮＵ９０３（ＯＮＵ１とする）の廃止申請があり、スプリッタ９０２からＯＮＵ１までの回線を撤去しようとする場合には、通常、スプリッタ９０２の出口側の地点９０４において、スプリッタ９０１のどのポートにＯＮＵ１がつながっているかの判別が行われる。
【０００５】
光ファイバケーブル内に収納されている複数の心線から未使用のものを判別する方法として、通常、心線の一方の端部から特別の光信号（例えば２７０Ｈｚの周波数に変調された光信号）を送出し、これを他方の端部側で受光素子を用いて受光検出したものを検出回路で判別するものが知られている。また、受光素子を用いて光信号を検出する方法として、例えば特許文献１に開示されているものがある。特許文献１では、光ファイバを部分的に屈曲させ、この屈曲させた部分から外部に放出される漏洩光を受光素子で受光検出する方法が記載されている。
【０００６】
ＰＯＮ通信システム９００において、未使用の光ファイバ心線を検出するのに特許文献１に記載の光心線判別装置を用いた場合には、廃止予定のＯＮＵ１の電源を切って光信号９１１が送出されないようにしても、ＯＬＴ側からの下りの光信号９１０が送出されているため、この光信号９１０の漏洩光を検出して活線状態と判定してしまう恐れがある。このような理由から、ＰＤＳ（ＰＯＮ）通信システム９００では、特許文献１に記載の光心線判別装置を用いて未使用のＯＮＵ回線を特定することはできない。
【０００７】
また、ＯＮＵ１側から光信号９１０、 ９１１とは異なる特定の光信号（例えば２７０Ｈｚの周波数に変調された光信号）を回線内に入力し、地点９０４でその漏洩光を検出することで回線を対照することは可能である。しかし、特定波長の変調光を送出するための高価な光源装置をＯＮＵ１側に用意する必要があり、またその変調光がＯＬＴに入力されて悪影響を及ぼす恐れもあって実用的でない。
【０００８】
そこで、光ファイバを曲げた部分の左右にＰＤ等の光検出器を配置し、その光検出器によって得られた光の強度に基づいて、光ファイバの通光状態及び通光方向を判別する心線識別機が開発されている。この心線識別機を用いることにより、例えば、右側に配置された検出器で漏洩光が検出された場合には、光ファイバが通光状態であり、かつ右方向に通光されていることが確認できる。但し、実際には左の光検出器にも漏洩光が検出されるため、左右の光検出器で測定された光強度の大小を比べることにより方向を判定するようにしている。
【０００９】
従来の心線識別機では、図７に示すとおり、例えば左側から右方向に光強度ｘの光信号が通光している光ファイバ９２０に対し、２つの光検出器（ＰＤ）９２１、９２２を用いて漏洩光を測定していた。光ファイバ９２０からの漏洩光は、光信号の通光方向に従って右方向に強く漏洩することから、光検出器９２２よりも光検出器９２１の方が強い漏洩光を検出し、これにより光ファイバ９２０が活線状態にあること、及び右方向に通光していることを確認していた。
【００１０】
しかし、上記の通光方向の判定は、光信号が一方向のみに通光していることを前提としたものであり、逆方向にも通光している場合には上記のように判定することはできない。例えば、図８に示すように、右側から左方向に光強度ｘより小さい光強度ｙの別の光信号（通常は両方向の光信号の波長が異なっている）が通光されている場合にも、上記のように光検出器９２１の方が強い漏洩光を検出するが、この場合には両方向に通光している。
【００１１】
図８に示すような測定方法では、光検出器９２２で漏洩光を検出することで強度ｙの左方向の通光が検出されたと判定することはできない。右方向に通光している強度ｘの光信号の漏洩光は、光検出器９２１だけでなく９２２でも無視できない程度の強度で検出される。そのため、左方向に通光する強度ｙの光信号に対する検出器９２２の測定値が検出器９２１の測定値と同等であれば、左方向に通光する強度ｙの光信号の検出を判定できるが、強度ｙが強度ｘより小さい場合には、強度ｘの右方向の光信号の漏洩光か強度ｙの左方向の光信号の漏洩光かを区別することができず、左方向の光信号の存在を判定することはできない。
【００１２】
そこで、光信号が光ファイバから各検出器に漏れる割合（以下では漏れ損失という）を事前に測定しておき、これを用いて各方向に通光する光信号の強度を検出する方法が知られている。光ファイバの漏れ損失は、光ファイバを通光する光信号の強度によらず、以下のように定義されるものである。
検出器の測定強度  ＝  漏れ損失  ×  光ファイバ内の光強度
【００１３】
図８において、右方向に通光する光信号が検出器９２１で検出される漏れ損失をa、検出器９２２で検出される漏れ損失をbとし、検出器９２１、９２２の配置位置及び光ファイバ９２０の屈曲形状が、対称軸９２３に対して線対称に形成されているとすると、逆方向に通光する光信号に対しても、同図に示すように、漏れ損失ａ、ｂを線対称にして用いることができる。検出器９２１、９２２での測定値をそれぞれＡ、Ｂとすると、光強度ｘ、ｙ及び、漏れ損失ａ、ｂとの間に次式が成り立つ。
【数１】
2008164762.tif 000003
上記２式から光強度ｘ、ｙを算出することができる。
【００１４】
より厳密には、光信号が屈曲部を通光中に漏洩する影響も考慮する必要がある。例えば、右方向に通光する強度ｘの光信号について、検出器９２２で検出される漏洩光よりも検出器９２１で検出される漏洩光のほうが、光ファイバ９２０をより長く通光してきた光信号の漏洩光である。より長く屈曲部を通光したことによる損失の影響により、光ファイバ９２０内を通光する光信号の強度は、検出器９２２に漏れるときに比べて検出器９２１に漏れるときの方が若干低下してしまう。
【００１５】
この漏洩する位置の違いによる損失をＬとすると、上記（式１）、（式２）はそれぞれ下記のように変更される。
【数２】
2008164762.tif 000004
但し、上記の損失Ｌの影響は、逆方向に通光する光強度ｙの光信号に対しても同様であることから、損失Ｌが漏れ損失ａに含まれているとしてもよい（ａＬを改めてａとする）。
【特許文献１】特開平０９−１７８９４５号公報
【発明の開示】
【発明が解決しようとする課題】
【００１６】
しかしながら、上記従来の技術では以下のような問題があった。測定対象の光ファイバのファイバ種（例えば０．２５心線、０．５心線、コード）が異なる場合はもちろん、同一種であっても個別差があるため、光ファイバ心線を同一形状に屈曲させても、それから光信号が漏洩する割合が異なってしまう。これは、光ファイバの被覆に個別差があることに起因するものである。このような被覆の個別差による影響が大きいことから、上記のように屈曲させて漏洩光を測定しても、光信号の通光の有無や通行の向き程度しか判定できず、従来の心線識別機では、漏洩光の測定値を取得しても、その数値的な情報を使用することはできなかった。
【００１７】
（式１）及び（式２）又は（式３）及び（式４）を用いて両方向のそれぞれの光強度を算出しても、漏れ損失ａ、ｂの値が適切でないと、光強度を正しく求めることはできなくなってしまう。漏れ損失ａ、ｂの値は、ファイバ被覆によって大きく異なってしまうだけでなく、同じ被覆のファイバ種であっても、被覆の色や製造会社によっても異なっている。そのため、心線識別を行うにあたって、測定対象の光ファイバに適切な漏れ損失ａ、ｂを決定するのが極めて困難であった。
【００１８】
そこで、本発明はこれらの問題を解決するためになされたものであり、光ファイバの被覆の個別差による漏れ損失のばらつきに影響されることなく、一方向に通光する光信号の強度と他方向に通光する光信号の強度との比を高精度に算出できる光心線判別装置及び判別方法を提供することを目的とする。
【課題を解決するための手段】
【００１９】
本発明の光心線判別装置の第１の態様は、光ファイバ心線の所定範囲を一定の曲率の円弧の形状に屈曲させて固定する屈曲固定部と、前記屈曲固定部の対称軸上の位置でかつ受光面が前記対称軸と垂直となるよう前記光ファイバ心線に近接して配置された第１の検出器と、配置位置及び受光面が前記所定範囲内で前記対称軸に対し相互に対称となるよう前記光ファイバ心線に近接させて配置された第２の検出器及び第３の検出器と、前記第１から第３までの検出器による測定値を入力して前記光ファイバ心線を一方向に通光する光信号の強度と他方向に通光する光信号の強度との比を算出する演算処理部と、を備えることを特徴とする。
【００２０】
本発明の光心線判別装置の他の態様は、前記第１の検出器の前記受光面の中心は、前記屈曲固定部の対称軸上にあり、前記第２の検出器及び前記第３の検出器のそれぞれの前記受光面の中心は、前記円弧の法線上にあることを特徴とする。
【００２１】
本発明の光心線判別装置の他の態様は、前記第２の検出器と前記第３の検出器とは、それぞれの前記受光面が前記円弧の法線に対し垂直となるよう配置されていることを特徴とする。
【００２２】
本発明の光心線判別装置の他の態様は、前記所定範囲より外側の前記光ファイバ心線は前記円弧とは異なる曲率で屈曲され、前記第２の検出器及び前記第３の検出器が前記異なる曲率で屈曲された前記光ファイバ心線からの漏洩光も受光するよう前記所定範囲が決定されていることを特徴とする。
【００２３】
本発明の光心線判別方法の第１の態様は、光ファイバ心線の所定範囲を一定の曲率の円弧の形状に屈曲させ、前記円弧の対称軸上の位置でかつ受光面が前記対称軸と垂直となるよう前記光ファイバ心線に近接して測定することにより第１の測定値を取得し、測定位置及び受光面が前記所定範囲内で前記対称軸に対し相互に対称となる異なる２箇所で前記光ファイバ心線に近接させて測定することにより第２及び第３の測定値を取得し、前記第１から第３までの測定値をもとに前記光ファイバ心線を一方向に通光する光信号の強度と他方向に通光する光信号の強度との比を算出することを特徴とする。
【００２４】
本発明の光心線判別方法の他の態様は、前記第１の測定値は、前記屈曲固定部の対称軸を中心に測定されたものであり、前記第２の測定値及び前記第３の測定値は、前記円弧の法線を中心に測定されたものであることを特徴とする。
【００２５】
本発明の光心線判別方法の他の態様は、前記第２の測定値と前記第３の測定値とは、それぞれ前記受光面が前記円弧の法線と垂直となるように測定されることを特徴とする。
【００２６】
本発明の光心線判別方法の他の態様は、前記所定範囲より外側の前記光ファイバ心線は前記円弧とは異なる曲率で屈曲され、前記第２の測定値及び前記第３の測定値は、前記異なる曲率で屈曲された前記光ファイバ心線からの漏洩光も測定していることを特徴とする。
【発明の効果】
【００２７】
本発明によれば、光ファイバの被覆の個別差による漏れ損失のばらつきに影響されることなく、一方向に通光する光信号の強度と他方向に通光する光信号の強度との比を高精度に算出できる光心線判別装置及び判別方法を提供することが可能となる。本発明の光心線判別装置及び判別方法によれば、ファイバ被覆に依存する漏れ損失の大きさによらず、漏洩光の測定値から両方向に通光する光信号の比を算出して定量的な情報を提供することができる。
【発明を実施するための最良の形態】
【００２８】
本発明の好ましい実施の形態における光心線判別装置及び判別方法について、図面を参照して詳細に説明する。なお、同一機能を有する各構成部については、図示及び説明簡略化のため、同一符号を付して示す。
【００２９】
本発明の第１の実施の形態に係る光心線判別装置を、図１及び図２を用いて詳細に説明する。光心線判別装置１００は、検出対象の光ファイバ心線１０から光信号を漏洩させるために、これを所定の形状に屈曲させて固定する屈曲固定部１１０と、光ファイバ心線１０からの漏洩光を測定するための３台の検出器１２１、１２２、１２３と、検出器１２１、１２２、１２３のそれぞれで測定された測定データを入力して心線判別の処理を行う判別処理部１３０とを備えている。
【００３０】
図１は、屈曲固定部１１０の形状を拡大して示したものであるが、屈曲固定部１１０は、点Ｔと点Ｔ’との範囲が一定の曲率の円弧の形状に形成されており、対称軸Ｓに対して左右対称となっている。点Ｔ、Ｔ’は、検出器１２１の受光面の中心に対向する屈曲固定部１１０の位置と検出器１２２の受光面の中心に対向する位置との間の範囲を少なくとも含むよう設定している。この円弧に沿って光ファイバ心線１０を屈曲させることで、光ファイバ心線１０の漏れ損失も対称軸Ｓに対して左右対称になるようにしている。また、検出器１２１及び１２２も対称軸Ｓに対して左右対称となる位置に配置している。
【００３１】
本実施形態では、検出器１２１及び１２２に加えて検出器１２３をさらに追加しており、その受光面の中心を対称軸Ｓ上に配置している。検出器１２３の受光面は、対称軸Ｓと垂直となる向きに配置されており、これにより検出器１２３に対する光ファイバ心線１０の漏れ損失が左右対称になるようにしている。また、検出器１２１及び１２２は、受光面が対称軸Ｓに対し左右対称となるように光ファイバ心線１０に近接して配置している。さらに、検出器１２１及び１２２のそれぞれの受光面は、屈曲固定部１１０の円弧の半径方向（法線）と垂直になるよう配置するのがよい。これにより、検出器１２１及び１２２のそれぞれの受光面は、光ファイバ心線１０と略平行になる。
【００３２】
上記構成の本実施形態の光心線判別装置１００において、光ファイバ１０から検出器１２１、１２２、１２３に漏洩する漏れ損失を、対称軸Ｓに対する対称性を考慮して図３に示すように設定することができる。特に、受光面の中心が対称軸Ｓ上に配置されている検出器１２３に対しては、左右からの漏れ損失が等しくなるのが特徴である（この漏れ損失をｃとする）。以下では、本実施形態の光心線判別装置１００を用いて、両方向に通光する光信号の強度比を算出する方法について詳細に説明する。
【００３３】
漏れ損失を図３に示すように設定し、さらに左側から右方向に通光する光信号（以下では下り光信号と呼ぶこととする）の光距度をｘとし、右側から左方向に通光する光信号（以下では上り光信号と呼ぶこととする）の光距度をｙとしたとき、検出器１２１、１２２、１２３のそれぞれの測定値Ａ、Ｂ、Ｃは
【数３】
2008164762.tif 000005
と表わすことができる。
【００３４】
上記３式より光距度ｘ、ｙを消去すると、
【数４】
2008164762.tif 000006
となる。
【００３５】
（式１２）より、
【数５】
2008164762.tif 000007
と表わすことができる。
【００３６】
図１に示す屈曲固定部１１０の円弧範囲Ｔ−Ｔ’は、検出器１２１の受光面の中心に対向する位置と検出器１２２の受光面の中心に対向する位置との間の範囲を少なくとも含むよう設定しており、それより外側の光ファイバ心線は円弧範囲Ｔ−Ｔ’とは異なる曲率で屈曲されている。これにより、検出器１２１、１２２は異なる曲率で屈曲された光ファイバ心線からの漏洩光も受光するようになり、検出器１２１、１２２が検出器１２３とは異なる測定値を取得するようにしている。
【００３７】
屈曲固定部１１０の円弧範囲Ｔ−Ｔ’を上記のように決定することにより、検出器１２３と１２１に対し下り方向（図面左から右方向）に入射する漏洩光のそれぞれの漏れ損失であるｃとａは、ともに光ファイバ１０の同一曲率の円弧状に屈曲された部分から漏洩した光の漏れ損失となる（図４（ａ）参照）。通常、円形に巻かれた光ファイバからの漏れ光は、円周のどの位置で測定しても同じ測定値となる（受光面と円の半径方向とのなす角度を一定とした場合）。これと同様に、検出器１２３と１２１とは、下り方向の漏洩光として同じ局率の円弧の光ファイバから漏れた光を受光することから、漏れ損失であるｃとａは同じ値になる。
【００３８】
同様にして、検出器１２３と１２２に対し上り方向（図面右から左方向）に入射する漏洩光のそれぞれの漏れ損失であるｃとａも、当然ながら同じ値になる（図４（ｂ）参照）。これに対し、漏れ損失ｂについては、光ファイバ１０の円弧範囲Ｔ−Ｔ’より外側の部分からの漏洩光も受光することから、漏れ損失ａ、ｃとは異なる値となる。
【００３９】
そこで、（式１３）においてｃ＝ａとすることにより、
【数６】
2008164762.tif 000008
となる。ここで、下り光信号の強度ｘと上り光信号の強度ｙとの比をｔとすると、（式９）及び（式１０）より、ｔは次式のように表わすことができる。
【数７】
2008164762.tif 000009
【００４０】
ここで、b/aは、（式１４）より次式のように表わされる。
【数８】
2008164762.tif 000010
【００４１】
(式１７)を(式１６)に代入することにより、ｔを次式のように表わすことができる。
【数９】
2008164762.tif 000011
（式１８）
【００４２】
よって、下り光信号の強度ｘと上り光信号の強度ｙとの比は、検出器１２１、１２２、１２３のそれぞれの測定値であるＡ、Ｂ、Ｃを用いて次式で算出することが可能となる。
【数１０】
2008164762.tif 000012
上式の右辺には光ファイバ１０の漏れ損失ａ、ｂ、ｃのいずれも含まれておらず、下り光信号の強度ｘと上り光信号の強度ｙとの比を検出器１２１、１２２、１２３の測定値のみで表わしている。
【００４３】
上記の通り、本実施形態の光心線判別装置１００によれば、光ファイバ１０の漏れ損失の大きさに依存することなく、検出器１２１、１２２、１２３の測定値のみから下り光信号の強度ｘと上り光信号の強度ｙとの比を算出することが可能となっている。すなわち、光ファイバの被覆の種類によることなく、本実施形態の光心線判別装置１００で光ファイバからの漏洩光を測定することにより、両方向に通光する光信号の強度比を検出器１２１、１２２、１２３の測定値のみから算出することが可能となる。
【００４４】
さらに、光信号が屈曲部を通光中に漏洩する影響も考慮した場合、下り方向に漏洩する光が検出器１２３で検出されるときと検出器１２１で検出されるときとで、光ファイバ１０を通光する距離の差による漏洩の影響を漏れ損失Ｌで表わすことができる。これは、上り方向に漏洩する光に対しても同じであり、検出器１２３で検出されるときと検出器１２２で検出されるときとで、光ファイバ１０を通光する距離の差によって漏洩量が影響を受ける。この通光距離の差による損失を考慮すると、(式１９)は次式のように変更される。
【数１１】
2008164762.tif 000013
【００４５】
ここで、Lは光ファイバ１０の円弧部分における単位長さ当たりの損失であり、光ファイバ１０のモードフィールド径やカットオフ波長等の特性に左右されるものであるが、通常のシングルモード（ＳＭ）ファイバではほぼ一定値となる。すなわち、円弧部分の曲率や長さ等の屈曲固定部１１０の形状により一意的に決まる定数となる。さらに、検出器１２１と検出器１２２との距離、あるいは屈曲固定部１１０の円弧範囲Ｔ−Ｔ’が短い場合には、その間を通光中の損失はほとんど無視できることから、上記の損失Ｌを１とすることができる。
【００４６】
上記の通り、本実施形態の光心線判別装置１００によれば、下り方向に通光する光信号と上り方向に通光する光信号との強度比を定量的に算出することが可能となることから、測定対象の光ファイバ心線が活線中か否かを容易に判別可能である。これに加えて、光心線判別装置１００を用いることで、以下のような判定を行うことも可能となる。
【００４７】
（式１９）または（式２０）で算出した強度比ｙ／ｘの大きさにより、以下のことが判定できる。但し、以下では下り方向の光信号の強度ｘの方が高いとする。また、光ファイバ心線の下流側の端面は、ファイバカッター等で鏡面切断されており、途中に何らかの機器が接続されていない限り、端面でフレネル反射して１４ｄＢだけ減衰するものとする。
【００４８】
まず、強度比ｙ／ｘがー１４ｄＢより大きい場合には、上り方向の光信号が通光していると判定できる。また、強度比ｙ／ｘが略ー１４ｄＢに等しい場合には、上り方向の光信号が通光されておらず、かつ、下流側に何の機器も接続されていないと判定できる。強度比ｙ／ｘが略ー５０ｄＢの場合には、上り方向の光信号が通光されておらず、かつ下流側に何らかのコネクタ接続もしくは機器接続が行われていると判定できる。さらに、強度比ｙ／ｘがー５０ｄＢより小さい場合には、測定点より下流側で無反射処理もしくは端末がファイバカッター等を用いずに切断されて反射光がほとんど発生していない。と判定できる。
【００４９】
本実施形態の光心線判別装置１００を適用することにより、２本の光ファイバ心線を接続する接続点での損失を測定することが可能となる。以下では、本実施形態の光心線判別装置１００を適用して接続点での損失を測定する方法を、図５を用いて以下に説明する。このような測定を行うためには、測定対象の光ファイバ心線を一方向に光信号が通光していることが必要である。図５では、図面左から右方向（下り方向とする）に通光しているものとしている。
【００５０】
２本の光ファイバ心線２０１と２０２の接続点２０３における損失を測定するために、光ファイバ心線２０１の測定点２１１と光ファイバ心線２０２の測定点２１２のそれぞれに光心線判別装置１００を設置している。図５において、測定点２１１を下り方向に光強度ｘ１の光信号が通光しており、接続点２０３で強度がＬ１だけ損失すると仮定すると、測定点２１２を（ｘ１−Ｌ１）の強度で通過する。その後、光ファイバ心線２０２の端面で反射されるときにＬ２だけ減衰すると仮定すると、上り方向の反射波は測定点２１２を（ｘ１−Ｌ１―Ｌ２）の強度で通過する。さらに、上り方向の反射波は接続点２０３を通過するときに再びＬ１だけ減衰することから、測定点２１１を（ｘ１−２・Ｌ１―Ｌ２）の強度で通過する。
【００５１】
２本の光ファイバ心線２０１と２０２を接続したときに上記のような損失が発生すると仮定すると、本実施形態の光心線判別装置１００を測定点２１１及び２１２に設置することにより、それぞれ以下のような測定結果が得られる。
【００５２】
まず測定点２１１において、下り方向に通光する光信号の強度ｘ１と、上り方向に通光する反射波の強度（ｘ１−２・Ｌ１―Ｌ２）との比（Ｐとする）である（−２・Ｌ１―Ｌ２）ｄＢが測定される。また、測定点２１２では、下り方向に通光する光信号の強度（ｘ１−Ｌ１）と、上り方向に通光する反射波の強度（ｘ１−Ｌ１―Ｌ２）との比（Ｑとする）である（―Ｌ２）ｄＢが測定される。
【数１２】
2008164762.tif 000014
【００５３】
よって、測定点２１１での光強度比Ｐと測定点２１２での光強度比Ｑとの比を求めることで、接続点２０３における損失Ｌ１を算出することが可能となる。
【数１３】
2008164762.tif 000015
【００５４】
上記のように、本実施形態の光心線判別装置１００によれば、２本の光ファイバ心線２０１と２０２のそれぞれの被覆の特性（漏れ損失）によることなく、接続点における損失を算出することが可能となる。
【００５５】
なお、本実施の形態における記述は、本発明に係る光心線判別装置及び判別方法の一例を示すものであり、これに限定されるものではない。本実施の形態における光心線判別装置及び判別方法の細部構成及び詳細な動作等に関しては、本発明の趣旨を逸脱しない範囲で適宜変更可能である。
【図面の簡単な説明】
【００５６】
【図１】本発明の実施形態に係る光心線判別装置の一部を拡大して示す平面図である。
【図２】本発明の実施形態に係る光心線判別装置の概略構成を示す平面図である。
【図３】漏れ損失の設定を説明する図である。
【図４】円弧範囲からの漏れ光による漏れ損失を説明する図である。
【図５】本実施形態の光心線判別装置を適用して２本の光ファイバ心線の接続点での損失を測定する方法を説明する図である。
【図６】ＰＯＮ通信システムの１例を示すブロック図である。
【図７】従来の心線識別機の概略構成を示す図である。
【図８】従来の心線識別機の漏れ損失を説明する図である。
【符号の説明】
【００５７】
１０、２０１、２０２    光ファイバ心線
１００    光心線判別装置
１１０    屈曲固定部
１２１、１２２、１２３    検出器
１３０    判別処理部
２０３    接続点
２１１、２１２    測定点
９００    通信システム
９０１    ＯＬＴ
９０２    スプリッタ
９０３    ＯＮＵ
９１０    下り光信号
９１１、９１２    上り光信号
９２０    光ファイバ心線
９２１、９２２    検出器
９２３    対称軸
【図１】
2008164762.tif 000016
【図２】
2008164762.tif 000017
【図３】
2008164762.tif 000018
【図４】
2008164762.tif 000019
【図５】
2008164762.tif 000020
【図６】
2008164762.tif 000021
【図７】
2008164762.tif 000022
【図８】
2008164762.tif 000023